(57)【要約】【課題】ボタン型リチウム電池の負極金属キャップの封止性能を高め、ボタン型リチウム電池の完成品の品質を高めるボタン型リチウム電池の負極金属キャップの製造方法を提供する。【解決手段】ボタン型リチウム電池の負極金属キャップの製造方法は、パンチングダイカストにより円形材料を円形板に成形するステップ（１）と、円形板に対し、深絞りパンチングを行い、円形板の外縁にＬ字状折り曲げ部を形成するステップ（２）と、Ｌ字状折り曲げ部の水平部に対して深絞りパンチングを行い、水平部の一部を垂直に折り曲げて折り曲げ部を形成し、折り曲げ部と垂直部とを互いに平行に対面するように設けるステップ（３）と、折り曲げ部に対して１回目のパンチング成形を行うステップ（４）と、第１層の折り畳み部に対して２回目のパンチング成形を行うステップ（５）と、を含む。【選択図】図１
2019192477.tif 000002
【特許請求の範囲】
【請求項１】
パンチングダイカストにより円形材料を円形板に成形するステップ（１）と、
前記円形板に対し、深絞りパンチングを行い、前記円形板の外縁にＬ字状折り曲げ部を形成し、前記Ｌ字状折り曲げ部は、垂直部及び水平部を有し、前記垂直部を前記円形板の外縁に接続させ、前記水平部を前記垂直部に接続し、前記垂直部を前記円形板に対して垂直に設け、前記水平部を前記垂直部に対して垂直に設けるステップ（２）と、
前記Ｌ字状折り曲げ部の前記水平部に対して深絞りパンチングを行い、前記水平部の一部を垂直に折り曲げて折り曲げ部を形成し、前記折り曲げ部と前記垂直部とを互いに平行に対面するように設けるステップ（３）と、
前記折り曲げ部に対して１回目のパンチング成形を行い、前記折り曲げ部と前記水平部の折り曲げられていない部分とが重ねられて第１層の折り畳み部を共同で形成するステップ（４）と、
前記第１層の折り畳み部に対して２回目のパンチング成形を行い、前記第１層の折り畳み部を前記垂直部と重ね、共同で３層の折り畳み部を形成し、前記３層の折り畳み部を円形板の外縁に垂直に形成し、ボタン型リチウム電池の負極金属キャップの製造を完了するステップ（５）と、を含むことを特徴とするボタン型リチウム電池の負極金属キャップの製造方法。
【請求項２】
前記垂直部の長さは、前記水平部の長さより短く、前記水平部の半分の長さより長いことを特徴とする請求項１に記載のボタン型リチウム電池の負極金属キャップの製造方法。
【請求項３】
前記折り曲げ部は、前記水平部の折り曲げられていない部分の長さに等しいことを特徴とする請求項１又は２に記載のボタン型リチウム電池の負極金属キャップの製造方法。
【発明の詳細な説明】
【技術分野】
【０００１】
本発明は、リチウム電池の製造に関し、特に、ボタン型リチウム電池の負極金属キャップの製造方法に関する。
【背景技術】
【０００２】
ボタン型リチウムマンガン電池を封止してパンチングする際、部品に対して以下（１）〜（３）が求められていた。
（１）金属負極キャップは、硬度が高く、平坦で、バリ（ｂｕｒｒ）が無く、キャップの縁部が折り畳まれている必要があった。そうでなければ電池をパンチングして封止する際、シーリングゴムリングが切断されて電池が液漏れして短絡が発生する虞があった。
（２）シーリングゴムリングは、電池から電解液が流れ出ることを防ぐために、適宜な軟らかさを有する必要があった。
（３）金属正極鋼殻は、楕円形でなく全体的に正円形状に形成する必要があった。そうでなければパンチング・封止するときに電池の液体が流出する虞があり、全部品が上述した要求を満たすことができれば、ボタン型リチウム電池の品質を大幅に向上させることができる。
【０００３】
しかし従来のボタン型リチウムマンガン電池の部品は、上述した要求を同時に満足させることが容易でなく、またボタン型リチウムマンガン電池は品質が理想的でなく、ニーズを満たすことができなかった。
【０００４】
そのため、上述した問題点を改善するために、ボタン型リチウム電池の負極金属キャップの製造方法が求められていた。
【発明の概要】
【発明が解決しようとする課題】
【０００５】
本発明の目的は、ボタン型リチウム電池の負極金属キャップの封止性能を高め、ボタン型リチウム電池の完成品の品質を高め、従来技術の問題点を改善するボタン型リチウム電池の負極金属キャップの製造方法を提供することにある。
【課題を解決するための手段】
【０００６】
上記課題を解決するために、本発明の第１の形態によれば、パンチングダイカストにより円形材料を円形板に成形するステップ（１）と、前記円形板に対し、深絞りパンチングを行い、前記円形板の外縁にＬ字状折り曲げ部を形成し、前記Ｌ字状折り曲げ部は、垂直部及び水平部を有し、前記垂直部を前記円形板の外縁に接続させ、前記水平部を前記垂直部に接続し、前記垂直部を前記円形板に対して垂直に設け、前記水平部を前記垂直部に対して垂直に設けるステップ（２）と、前記Ｌ字状折り曲げ部の前記水平部に対して深絞りパンチングを行い、前記水平部の一部を垂直に折り曲げて折り曲げ部を形成し、前記折り曲げ部と前記垂直部とを互いに平行に対面するように設けるステップ（３）と、前記折り曲げ部に対して１回目のパンチング成形を行い、前記折り曲げ部と前記水平部の折り曲げられていない部分とが重ねられて第１層の折り畳み部を共同で形成するステップ（４）と、前記第１層の折り畳み部に対して２回目のパンチング成形を行い、前記第１層の折り畳み部を前記垂直部と重ね、共同で３層の折り畳み部を形成し、前記３層の折り畳み部を垂直に形成し、ボタン型リチウム電池の負極金属キャップの製造を完了するステップ（５）と、を含むことを特徴とするボタン型リチウム電池の負極金属キャップの製造方法が提供される。
【０００７】
前記垂直部の長さは、前記水平部の長さより短く、前記水平部の半分の長さより長いことが好ましい。
【０００８】
前記折り曲げ部は、前記水平部の折り曲げられていない部分の長さに等しいことが好ましい。
【発明の効果】
【０００９】
本発明のボタン型リチウム電池の負極金属キャップの製造方法は、１回目のパンチング成形及び２回目のパンチング成形により円形板の外縁に３層の折り畳み部が形成され、上述した３層の折り畳み部により全体のボタン型リチウム電池の負極金属キャップの強度を大幅に高めてその封止性能を高め、さらにはボタン型リチウム電池の完成品の品質を高めることができる。
【図面の簡単な説明】
【００１０】
【図１】図１は、本発明の一実施形態に係るボタン型リチウム電池の負極金属キャップの製造方法を示す流れ図である。
【図２】図２は、本発明の一実施形態に係るボタン型リチウム電池の構造を示す説明図である。
【発明を実施するための形態】
【００１１】
以下、本発明の目的、特徴及び効果をより分かりやすくするために、具体的な実施形態について図に基づいて詳しく説明する。
【００１２】
図１及び図２を参照する。図１及び図２に示すように、本発明の一実施形態に係るボタン型リチウム電池の負極金属キャップの製造方法は、以下のステップ（１）〜（５）を含む。
【００１３】
ステップ（１）：パンチングダイカスト（ｐｕｎｃｈｉｎｇ  ｄｉｅ−ｃａｓｔｉｎｇ）により円形材料を円形板に成形する。円形板は、バリが無いように平坦に成形される。
【００１４】
ステップ（２）：上述した円形板に深絞りパンチング（ｄｅｅｐ  ｄｒａｗｎ  ｐｕｎｃｈｉｎｇ）を行い、円形板の外縁にＬ字状折り曲げ部を形成する。上述したＬ字状折り曲げ部は、垂直部及び水平部を含む。上述した垂直部は、上述した円形板の外縁に接続される。上述した水平部は、上述した垂直部に接続される。上述した垂直部は、上述した円形板に対して垂直に設けられる。上述した水平部は、上述した垂直部に対して垂直に設けられる。本実施形態の上述した垂直部の長さは、前記水平部の長さより小さく、上述した水平部の半分の長さより大きい。
【００１５】
ステップ（３）：上述したＬ字状折り曲げ部の水平部に対して深絞りパンチングを行い、水平部の一部を垂直に折り曲げて折り曲げ部を形成する。上述した折り曲げ部と上述した垂直部とを互いに平行に対面するように設ける。本実施形態の上述した折り曲げ部は、水平部の折り曲げられていない部分の長さに等しい。
【００１６】
ステップ（４）：上述した折り曲げ部に対して１回目のパンチング成形を行い、折り曲げ部と水平部の折り曲げられていない部分とが重ねられて第１層の折り畳み部を共同で形成し、ボタン型リチウム電池の負極金属キャップ１の強度を高める。
【００１７】
ステップ（５）：上述した第１層の折り畳み部に対して２回目のパンチング成形を行い、上述した第１層の折り畳み部を上述した垂直部と重ね、共同で３層の折り畳み部１１を形成する。上述した３層の折り畳み部１１を円形板の外縁に垂直に形成し、上述したボタン
型リチウム電池の負極金属キャップ１の製造を完了する。上述した３層の折り畳み部１１は、ボタン型リチウム電池の負極金属キャップ１の強度を高め、ボタン型リチウム電池の完成品の品質を高め、生産のニーズを満たす。
【００１８】
製造されたボタン型リチウム電池の負極金属キャップ１は、ボタン型リチウム電池の正極金属鋼殻２と係合され、ボタン型リチウム電池のシーリングゴムリング３を介して密封処理し、高品質のボタン型リチウム電池を製造する。
【００１９】
本発明は以下の効果を有する。
【００２０】
本発明に係るボタン型リチウム電池の負極金属キャップ１の製造方法は、１回目のパンチング成形及び２回目のパンチング成形により、円形板の外縁に３層の折り畳み部１１が形成される。上述した３層の折り畳み部１１は、全体のボタン型リチウム電池負極金属キャップの強度を高めてその封止性能を高め、さらにはボタン型リチウム電池の完成品の品質を高めることができる。
【００２１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２２】
１  ボタン型リチウム電池の負極金属キャップ
２  ボタン型リチウム電池の正極金属鋼殻
３  ボタン型リチウム電池のシーリングゴムリング
１１  折り畳み部
【図１】
2019192477.tif 000003
【図２】
2019192477.tif 000004